(57)【要約】  【課題】      魚の興味を惹くことによって釣果を高めることのできるルアー用釣鈎を提供する。  【解決手段】  ルアー用釣鈎１０では、釣鈎そのものを２色以上に発色させることによって魚の興味を惹くようにしている。つまり、軸部１２および懐部１４の内外に明度や色相のコントラストを持たせることによって魚の背と腹の色の違いを表現し、釣鈎全体を小魚の外観に似せている。したがって、水中でのルアー用釣鈎１０は、ルアー本体１８が動くたびにルアー本体１８の周りで小魚のように動くことになり、この動きが釣り対象である魚の興味を惹くことになる。【選択図】      図２
2005073657.tif 000002
【特許請求の範囲】
【請求項１】
ルアー本体に取り付けられるルアー用釣鈎であって、釣鈎そのものを２色以上に発色させるようにした、ルアー用釣鈎。
【請求項２】
軸部または懐部の少なくとも一方の内側と外側とを塗り分けることによって釣鈎全体を小魚の外観に似せるようにした、請求項１に記載のルアー用釣鈎。
【請求項３】
軸部または懐部の少なくとも一方に縞模様を施すことによって釣鈎全体を魚のヒレに見せかけるようにした、請求項１に記載のルアー用釣鈎。
【発明の詳細な説明】
【技術分野】
【０００１】
本発明は、ジグ，プラグまたはスプーン等のような各種のルアー（疑似餌）に用いられるルアー用釣鈎に関する。
【背景技術】
【０００２】
ルアー釣りに用いられるルアーの本体（以下、「ルアー本体」という。）には、釣り対象となる魚の種類や天候等に応じて様々な色や模様が施されているが、ルアー用釣鈎（フック）については、メッキまたは塗装等によって釣鈎全体が単色で仕上げられているに過ぎなかった（特許文献１参照）。
【特許文献１】特開２００１−１２０１１３号（図１等）
【発明の開示】
【発明が解決しようとする課題】
【０００３】
従来のルアー用釣鈎では、釣鈎全体が単色で仕上げられているに過ぎなかったため、たとえばジグにフロントフックとテイルフックとを装着した場合や、プラグにベリーフックとテイルフックとを装着した場合には、フロントフック，テイルフックおよびベリーフックが魚に警戒心を与えることになり、釣果の低下を招く原因となっていた。
【０００４】
それゆえに、この発明の主たる目的は、魚の興味を惹くことによって釣果を高めることのできる、ルアー用釣鈎を提供することである。
【課題を解決するための手段】
【０００５】
請求項１に記載した発明は、「ルアー本体に取り付けられるルアー用釣鈎であって、釣鈎そのものを２色以上に発色させるようにしたルアー用釣鈎」である。
【０００６】
この発明では、２色以上に発色するルアー用釣鈎がルアー本体とともに疑似餌として機能する。
【０００７】
請求項２に記載した発明は、請求項１に記載した発明において、「軸部または懐部の少なくとも一方の内側と外側とを塗り分けることによって釣鈎全体を小魚の外観に似せるようにした」ことを特徴とする。
【０００８】
この発明は、釣鈎全体を小魚の外観に似せることによって釣り対象である魚の興味を惹くようにしたものである。
【０００９】
請求項３に記載した発明は、請求項１に記載した発明において、「軸部または懐部の少なくとも一方に縞模様を施すことによって釣鈎全体を魚のヒレに見せかけるようにした」ことを特徴とする。
【００１０】
この発明は、釣鈎全体を魚のヒレに似せることによって釣り対象である魚の興味を惹くようにしたものである。
【発明の効果】
【００１１】
本発明によれば、釣鈎そのものを２色以上に発色させることによって、餌に似た外観や魚の興味を惹くものの外観を構成することができるので、ルアー本体のみならずルアー用釣鈎にも魚の食い付きを期待することができ、釣果を高めることができる。
【発明を実施するための最良の形態】
【００１２】
図１を参照して、本発明が適用されたルアー用釣鈎１０は、軸部１２および懐部１４の内側と外側とを異なる色で発色させることによって、釣鈎全体を小魚の外観に似せたものである。つまり、軸部１２および懐部１４の内外に明度や色相のコントラストを持たせることによって、魚の背と腹の色の違いを表現したものである。
【００１３】
発色方法としては、「塗装やメッキによる方法」を例示でき、塗り分け方法としては、「釣鈎全体に通常のモノトーンのメッキまたは塗装を施し、その後、軸部１２および懐部１４の外側に他の色を吹きつけ塗装する方法」を例示できるが、これらに限定されるものではない。
【００１４】
ルアー用釣鈎１０を使用する際には、図２に示すように、軸部１２の先端に形成された取付リング１６が、ルアー本体１８の頭部に設けられた係止部２０に紐２２および係止リング２４を介して取り付けられる。また、別のルアー用釣鈎１０の取付リング１６が、ルアー本体１８の尻部に設けられた係止部２６に係止リング２８を介して取り付けられる。
【００１５】
したがって、水中における２つのルアー用釣鈎１０は、ルアー本体１８が動くたびにルアー本体１８の周りで小魚のように動くことになり、この動きが釣り対象である魚の興味を惹くことになる。つまり、ルアー用釣鈎１０がルアー本体１８とともに疑似餌として機能することになり、ルアー本体１８のみならずルアー用釣鈎１０にも魚の食い付きを期待することができる。
【００１６】
なお、ルアー用釣鈎１０が適用されるルアーの種類は図２に示すような「ジグ」に限定されるものではなく、図３に示すような「プラグ」や、図示しない「スプーン」等であってもよい。
【００１７】
そして、上述の実施例では、軸部１２および懐部１４の内側と外側とを塗り分けることによって釣鈎全体を小魚の外観に似せるようにしているが、軸部１２または懐部１４のいずれか一方だけを塗り分けるようにしてもよいし、図４に示すように、軸部１２および懐部１４に魚そのものの絵を配するようにしてもよい。また、図５に示すように、懐部１４から釣先部３０にかけて縞模様を施すことによって釣鈎全体を魚の「ヒレ」に似せるようにしてもよい。「ヒレ」に似せた場合には、ルアー本体１８とルアー用釣鈎１０とが一体となって餌（魚）の動きをするため、釣り対象である魚の興味を惹くことができる。また、「ヒレ」に見せかけるための縞模様は、軸部１２または懐部１４のいずれか一方のみに施されてもよいし、双方に施されてもよい。
【００１８】
また、上述した各ルアー用釣鈎１０（図１，図４，図５）は、図６に示すような「トレブルフック（三本鈎）」として構成されてもよい。
【図面の簡単な説明】
【００１９】
【図１】ルアー用釣鈎を示す図である。
【図２】ルアー用釣鈎をルアー本体に取り付けた状態（ジグ）を示す図である。
【図３】ルアー用釣鈎をルアー本体に取り付けた状態（プラグ）を示す図である。
【図４】ルアー用釣鈎の変形例を示す図である。
【図５】ルアー用釣鈎の他の変形例を示す図である。
【図６】ルアー用釣鈎をトレブルフックとして構成した状態を示す図である。
【符号の説明】
【００２０】
１０…  ルアー用釣鈎
１２…  軸部
１４…  懐部
１６…  取付リング
１８…  ルアー本体
３０…  釣先部
【図１】
2005073657.tif 000003
【図２】
2005073657.tif 000004
【図３】
2005073657.tif 000005
【図４】
2005073657.tif 000006
【図５】
2005073657.tif 000007
【図６】
2005073657.tif 000008